(57)【要約】【課題】  小型の筐体の電子機器の盗難防止を図り、かつ、取り付ける電子機器筐体のサイズに応じて別部品を用意せずに済み、取り付け作業が容易な電子機器筐体の取付構造を提供する。【解決手段】  電子機器筐体の取付構造は、取付部材が、第１の電子機器の筐体の外面を係止する複数の係止片を有する第１ブラケットと、第１ブラケットに連結するカバーブラケットと、第１の電子機器の筐体を第１ブラケットに固定する第１固定ネジと、第２の電子機器の筐体の外面に第１ブラケットを固定する第２固定ネジと、第１ブラケットにカバーブラケットを固定する第３固定ネジと、を少なくとも含み、カバーブラケットが、取り付け時に第１固定ネジのネジ頭に近接して対向してネジ頭を覆う第１保護面部と、取り付け時に第２固定ネジのネジ頭に近接して対向してネジ頭を覆う第２保護面部と、を少なくとも有する。【選択図】  図１
2011228514.tif 000002
【特許請求の範囲】
【請求項１】
第１の電子機器を、他の第２の電子機器に取付部材を介して取り付ける電子機器筐体の取付構造であって、
該取付部材が、該第１の電子機器の筐体の外面を係止する複数の係止片を有する第１ブラケットと、
該第１ブラケットに連結するカバーブラケットと、
該第１の電子機器の筐体を該第１ブラケットに固定する第１固定ネジと、
該第２の電子機器の筐体の外面に該取付部材を固定する第２固定ネジと、
該第１ブラケットに該カバーブラケットを固定する第３固定ネジと、
を少なくとも含み、
該カバーブラケットが、取り付け時に該第１固定ネジのネジ頭に近接して対向して該ネジ頭を覆う第１保護面部と、取り付け時に該第２固定ネジのネジ頭に近接して対向して該ネジ頭を覆う第２保護面部と、を少なくとも有する、
電子機器筐体の取付構造。
【請求項２】
前記第２の電子機器の筐体の外面に連結する第２ブラケットと、
前記第１ブラケットと該第２ブラケットとを連結する第４固定ネジと、
をさらに含む、
請求項１に記載の電子機器筐体の取付構造。
【請求項３】
前記第４固定ネジが、前記第１の電子機器の筐体の取り付け時に、該筐体によりネジ頭が覆われる、
請求項２に記載の電子機器筐体の取付構造。
【請求項４】
前記第４固定ネジが、前記カバーブラケットの取り付け時に、該カバーブラケットによりネジ頭が覆われる、
請求項２に記載の電子機器筐体の取付構造。
【請求項５】
前記第１固定ネジまたは前記第２固定ネジが、複数のネジの組で構成され、前記カバーブラケットの前記第１保護面部が、取り付け時に少なくとも一つの該第１固定ネジのネジ頭に近接して対向して該ネジ頭を覆い、該カバーブラケットの前記第２保護面部が、取り付け時に少なくとも一つの該第２固定ネジのネジ頭に近接して対向して該ネジ頭を覆う、
請求項１から４のいずれかに記載の電子機器筐体の取付構造。
【請求項６】
前記第３固定ネジが、三角形、四角形、あるいは、六角形等の多角形状の穴部、または、ツーホールタイプの穴部、または、ピン・ＴＲＸタイプの穴部、または、トライウィングタイプの穴部、または、星形の穴部のいずれかを含むネジ頭を有する、
請求項１から５のいずれかに記載の電子機器筐体の取付構造。
【請求項７】
前記カバーブラケットが、前記第１の電子機器の筐体の外面を係止して固定する固定係止片をさらに有する、
請求項１から６のいずれかに記載の電子機器筐体の取付構造。
【発明の詳細な説明】
【技術分野】
【０００１】
本発明は、映像音響機器、または、パーソナルコンピューター等の電子計算機を構成する小型の電子機器筐体を、液晶表示装置に代表される映像表示装置などの大型の他の電子機器筐体に取り付ける場合に、小型の電子機器筐体の盗難防止を図る取付構造に関する。
【背景技術】
【０００２】
セットトップボックス等の映像音響機器、または、パーソナルコンピューター等の電子計算機を構成する小型の電子機器筐体を、液晶表示装置に代表される映像表示装置などの大型の他の電子機器筐体に取り付ける場合がある。特に、ディスプレイ装置には、その筐体の背面側などに周辺機器又はスタンド等を取り付けるのに、ＶＥＳＡ（Video Electoronics Standard Association）規格が用いられている場合がある。ＶＥＳＡ規格により、ディスプレイ装置に設けるネジ穴の大きさ、ネジ穴の数、あるいは、ネジ穴の位置を統一することにより、異なるメーカーが供給する製品同士であっても、取り付け可能になるという利点がある。
【０００３】
従来には、液晶ディスプレイ装置の背面側に、小型の筐体を有するパーソナルコンピューターを、ＶＥＳＡマウントキットという取付部材を使用して取り付けて一体化し、さらなる省スペース化を図ろうとするものがある。このＶＥＳＡマウントキットは、ＶＥＳＡ規格７５×７５ｍｍ、および１００×１００ｍｍに準拠している。例えば、ディスプレイ装置が少なくともその一方であるＶＥＳＡ規格１００×１００ｍｍに準拠していれば、ユーザーは、このパーソナルコンピューターをディスプレイ装置に取り付けることが出来る（非特許文献１）。もちろん、ユーザーは、このパーソナルコンピューターをディスプレイ装置から取り外すことが出来る。
【０００４】
ただし、上記のような小型の筐体を有するパーソナルコンピューターを、ディスプレイ装置の背面に取り付けた状態で、ホテルの客室等の不特定なユーザーが使用し得る環境にホテル事業者等が設置する場合には、不正の意図を有するユーザーが、このパーソナルコンピューターをディスプレイ装置から取り外して持ち去ってしまうという盗難事件が発生する可能性がある。従来には、パーソナルコンピューターにチェーンロックなどの盗難防止器具を取り付けて、ディスプレイ装置、もしくは、他の家具等に固定して、盗難事件を防止しようとする場合がある。しかし、盗難防止のために専用のチェーンロックなどを用意する場合には、コストが掛かる上に見栄えが悪くなる、という問題がある。また、ＶＥＳＡ規格とは異なる特別な取付方法を採用すると、盗難防止のためのコストが掛かる上に、取り付けの作業性が悪くなるという問題がある。
【０００５】
また、従来には、車載用表示装置の脱落を防止するために、保持部からの脱落防止機構を備えた表示装置であって、前記保持部は、設置箇所に固定されるベース部と、一方の端部が前記ベース部に取り付けられ、他方の端部に前記脱落防止機構との嵌合部が設けられたアーム部とを有し、前記脱落防止機構は、前記表示装置に設けられた、下端が開放され、該下端から挿入された前記嵌合部が前記表示装置の上下方向に移動可能に嵌合する溝部と、前記溝部と嵌合している前記嵌合部が前記下端から外れることを防止する防止部材と、前記溝部の下端に設けられた、前記防止部材を取り付けるための取付部と、を有することを特徴とする表示装置がある（特許文献１）。好ましくは、前記防止部材は、ネジ或いはボルトであり、盗難防止を図る防止部材が螺着されるネジ穴或いはボルト穴である場合がある。
【先行技術文献】
【非特許文献】
【０００６】
【非特許文献１】オンキヨー株式会社、”PRESS RELEASE”、［online］、平成２１年１０月１９日、インターネット＜URL：http://www.jp.onkyo.com/news/newproducts/pc/20091019_dt/20091019_dt.pdf＞
【特許文献】
【０００７】
【特許文献１】特開２００５−１４８３４７号公報  （第１図〜第５図）
【発明の概要】
【発明が解決しようとする課題】
【０００８】
本発明は、上記の従来技術が有する問題を解決するためになされたものであり、その目的は、電子機器筐体の取付構造に関し、小型の筐体の電子機器の盗難防止を図り、かつ、取り付ける電子機器筐体のサイズに応じて別部品を用意せずに済み、取り付け作業が容易な電子機器筐体の取付構造を提供することにある。
【課題を解決するための手段】
【０００９】
本発明の電子機器筐体の取付構造は、第１の電子機器を、他の第２の電子機器に取付部材を介して取り付ける電子機器筐体の取付構造であって、取付部材が、第１の電子機器の筐体の外面を係止する複数の係止片を有する第１ブラケットと、第１ブラケットに連結するカバーブラケットと、第１の電子機器の筐体を第１ブラケットに固定する第１固定ネジと、第２の電子機器の筐体の外面に取付部材を固定する第２固定ネジと、第１ブラケットにカバーブラケットを固定する第３固定ネジと、を少なくとも含み、カバーブラケットが、取り付け時に第１固定ネジのネジ頭に近接して対向してネジ頭を覆う第１保護面部と、取り付け時に第２固定ネジのネジ頭に近接して対向してネジ頭を覆う第２保護面部と、を少なくとも有する。
【００１０】
また、本発明の電子機器筐体の取付構造は、第２の電子機器の筐体の外面に連結する第２ブラケットと、第１ブラケットと第２ブラケットとを連結する第４固定ネジと、をさらに含む。
【００１１】
好ましくは、本発明の電子機器筐体の取付構造は、第４固定ネジが、第１の電子機器の筐体の取り付け時に、筐体によりネジ頭が覆われる。
【００１２】
好ましくは、本発明の電子機器筐体の取付構造は、第４固定ネジが、カバーブラケットの取り付け時に、カバーブラケットによりネジ頭が覆われる。
【００１３】
好ましくは、本発明の電子機器筐体の取付構造は、第１固定ネジまたは第２固定ネジが、複数のネジの組で構成され、カバーブラケットの第１保護面部が、取り付け時に少なくとも一つの第１固定ネジのネジ頭に近接して対向してネジ頭を覆い、カバーブラケットの第２保護面部が、取り付け時に少なくとも一つの第２固定ネジのネジ頭に近接して対向してネジ頭を覆う。
【００１４】
また、本発明の電子機器筐体の取付構造は、第３固定ネジが、盗難防止を図る三角形、四角形、あるいは、六角形等の多角形状の穴部、または、ツーホールタイプの穴部、または、ピン・ＴＲＸタイプの穴部、または、トライウィングタイプの穴部、または、星形の穴部、のいずれかを含むネジ頭を有する。
【００１５】
また、本発明の電子機器筐体の取付構造は、カバーブラケットが、第１の電子機器の筐体の外面を係止して固定する固定係止片をさらに有する。
【００１６】
以下、本発明の作用について説明する。
【００１７】
本発明の電子機器筐体の取付構造は、第１の電子機器を、他の第２の電子機器に取付部材を介して取り付ける電子機器筐体の取付構造である。取付部材は、一つ又は複数のブラケットと、カバーブラケットと、第１の電子機器の筐体を第１ブラケットに固定する第１固定ネジと、第２の電子機器の筐体の外面に取付部材である第１ブラケット（または第２ブラケット）を固定する第２固定ネジと、第１ブラケットまたは第２ブラケットにカバーブラケットを固定する第３固定ネジと、を少なくとも含む。
【００１８】
例えば、第１の電子機器と、他の第２の電子機器と、これらを取り付ける取付部材であるブラケットとは、好ましくは、ＶＥＳＡ規格に準拠している。ブラケットおよびカバーブラケットは、剛性を有する鉄板を折り曲げ加工して形成した部材である。したがって、パーソナルコンピューター等の第１の電子機器を、ＶＥＳＡ規格に準拠するディスプレイ装置等の他の第２の電子機器に取付部材を介して取り付けることができる。
【００１９】
ここで、カバーブラケットは、取り付け時に第１固定ネジのネジ頭に近接して対向してネジ頭を覆う第１保護面部と、取り付け時に第２固定ネジのネジ頭に近接して対向してネジ頭を覆う第２保護面部と、を少なくとも有し、カバーブラケットを取り付けた状態では、第１固定ネジも第２固定ネジも、通常の工具では廻せないようにすることができる。第１固定ネジまたは第２固定ネジが、複数のネジの組で構成される場合にも、カバーブラケットの第１保護面部が、取り付け時に少なくとも一つの第１固定ネジのネジ頭に近接して対向してネジ頭を覆い、カバーブラケットの第２保護面部が、取り付け時に少なくとも一つの第２固定ネジのネジ頭に近接して対向してネジ頭を覆うようにすればよい。また、カバーブラケットは、第１ブラケットまたは第２ブラケットに、好ましくは、盗難防止を図るために通常の工具では廻せない三角形、四角形、あるいは、六角形等の多角形状の穴部、または、ツーホールタイプの穴部、または、ピン・ＴＲＸタイプの穴部、または、トライウィングタイプの穴部、または、星形の穴部、のいずれかを含むネジ頭を有する第３固定ネジにより固定される。
【００２０】
したがって、不特定なユーザーが使用し得る環境においても、不正の意図を有するユーザーが第２の電子機器から第１の電子機器を取り外そうとしても、実質的に取り外すことが困難になり、盗難事件の発生を抑制することが出来る。カバーブラケットが、盗難防止用の専用工具を要する第３固定ネジにより第１ブラケットまたは第２ブラケットに固定されている限り、カバーブラケットを外さなければ、第１の電子機器に連結する第１固定ネジ、または、他の第２の電子機器に連結する第２固定ネジを、それぞれ緩めることが出来ず、取り外して盗み出すことが出来ないからである。さらに、これらの電子機器を設置しようとする事業者は、盗難防止用の専用工具を用意すれば、第３固定ネジを廻して取り付け、取り外しの作業を容易に行うことが出来る。
【００２１】
また、カバーブラケットが、第１の電子機器の筐体の外面を係止して固定する固定係止片をさらに有していれば、より盗難事件を抑制することが出来る。仮に、不正の意図を有するユーザーが、第１の電子機器の筐体を第１ブラケットに固定する第１固定ネジを緩めて、これを外すことができたとしても、カバーブラケットをともに外してしまわない限り、これらの第１ブラケットの複数の係止片と、カバーブラケットの固定係止片と因って、第１の電子機器の筐体を取り外すことは出来ない。
【００２２】
なお、取付部材は、上記のような第１ブラケットと、第２ブラケットと、から複数のブラケットで構成されるものであっても良く、その場合には、第１ブラケットと第２ブラケットとを連結する第４固定ネジと、を少なくとも含む。ここで、第４固定ネジは、カバーブラケットの取り付け時に、カバーブラケットによりネジ頭が覆われるものであってもよく、また、第１の電子機器の筐体の取り付け時に、この筐体によりネジ頭が覆われるものであってもよい。つまり、第４固定ネジは、ネジ頭が覆われるので取り付け状態では露出せず、盗難防止を図ることが出来る。
【００２３】
また、第２の電子機器の筐体に連結する第１ブラケットまたは第２ブラケットが、複数のブラケットから構成されていれば、第１ブラケットまたは第２ブラケットは、連結する第２の電子機器の筐体に応じて、ＶＥＳＡ規格以外にも他の個別の規格に対応することができる。例えば、第１ブラケットが一部のＶＥＳＡ規格にのみ対応するＶＥＳＡマウントキットであっても、これに第４固定ネジで連結する第２ブラケットが、他の規格にも対応可能な複数のネジ穴を有していれば、様々な規格に個別に対応する取付部材を用意せずに済み、コスト低減が可能になるという利点を有する。
【発明の効果】
【００２４】
本発明の電子機器筐体の取付構造は、小型の筐体の電子機器の盗難防止を図り、かつ、取り付ける電子機器筐体のサイズに応じて別部品を用意せずに済み、取り付け作業が容易な電子機器筐体の取付構造を実現できる。
【図面の簡単な説明】
【００２５】
【図１】本発明の好ましい実施形態による電子機器筐体の取付構造を説明する展開斜視図である。（実施例１）
【図２】本発明の好ましい実施形態による電子機器筐体の取付構造を説明する一部を拡大した背面図である。（実施例１）
【図３】盗難防止固定ネジのネジ頭の穴部の形状を示す図である。（実施例１）
【図４】本発明の他の好ましい実施形態による電子機器筐体の取付構造を説明する一部を拡大した展開斜視図である。（実施例２）
【発明を実施するための形態】
【００２６】
以下、本発明の好ましい実施形態による電子機器筐体の取付構造について説明するが、本発明はこれらの実施形態には限定されない。
【実施例１】
【００２７】
図１は、本発明の好ましい実施形態による電子機器筐体の取付構造を説明する展開斜視図である。具体的には、図１および図２に図示される取付構造は、第１の電子機器としてのパーソナルコンピューター１を、他の第２の電子機器としての薄型のディスプレイ装置２に、複数の部材からなる取付部材３を介して取り付ける電子機器筐体の取付構造である。また、図２は、ディスプレイ装置２に取り付けられたパーソナルコンピューター１を、背面側から一部拡大して図示した背面図である。なお、図を分かりやすくするために、説明に不要な一部の構成の図示を省略している。
【００２８】
図１および図２に図示するパーソナルコンピューター１およびディスプレイ装置２は、ホテルの客室等の不特定なユーザーが使用し得る環境にホテル事業者等が設置することが想定されている。したがって、不正の意図を有するユーザーが、このパーソナルコンピューター１をディスプレイ装置２から取り外して持ち去ってしまうことのないように、盗難防止を図る必要がある。
【００２９】
本実施例のパーソナルコンピューター１は、図示するような底面側の一部で厚みが厚い略Ｌ字断面形状になる薄型小型の筐体１０を有している。パーソナルコンピューター１の筐体１０の底面側には、後述する固定ネジ６が螺合するネジ穴１１が設けられている。また、ディスプレイ装置２は、（図示しない）表示部を含む筐体２０の背面側に、パーソナルコンピューター１などの他の機器、あるいは、ディスプレイ装置２を固定するスタンド等を取り付けるための複数の後述する固定ネジ７が螺合するネジ穴２１が設けられている。これらのネジ穴２１の大きさ又は設置間隔は、ＶＥＳＡ規格に準拠するものであってもよく、また、特定のメーカー・供給者が定める寸法に沿うものであってもよい。
【００３０】
本実施例の複数の取付部材３は、金属を加工して成形されるブラケット４と、ブラケット４と同様に加工して成形されるカバーブラケット５と、１本の固定ネジ６と、４本の固定ネジ７と、１本の盗難防止固定ネジ８と、を含む。すなわち、パーソナルコンピューター１は、このブラケット４を介して、ディスプレイ装置２に固定される。具体的には、パーソナルコンピューター１とブラケット４とは、固定ネジ６により連結され、ディスプレイ装置２とブラケット４とは、固定ネジ７により連結される。そして、カバーブラケット５は、盗難防止固定ネジ８によりブラケット４に連結される。
【００３１】
ブラケット４は、厚み約１ｍｍの鉄板をプレスおよび曲げ切り起こし加工して形成する基体４０を有し、本実施例の場合には、全体を略「エ」の字状の形に加工されている。ブラケット４は、基体４０の中央部分にパーソナルコンピューター１を横方向（図１に図示する左側方向）から挿入して取り付けることが可能なように、パーソナルコンピューター１の筐体１０の外面を係止する複数の係止片４１を有するように切り起こし加工されている。パーソナルコンピューター１の筐体１０の底面を係止する係止片４１には、固定ネジ６のネジ部が貫通する貫通孔４３が設けられており、図２に図示するような取り付け状態では、固定ネジ６が下側からパーソナルコンピューター１の筐体１０のネジ穴１１に螺合して、パーソナルコンピューター１をブラケット４に対して固定することが出来る。
【００３２】
また、ブラケット４は、様々な規格・寸法に対応するために、その基体４０の四隅に複数の貫通孔からなる取付孔群４２を有している。取付孔群４２には、前記のＶＥＳＡ規格７５×７５ｍｍ、および１００×１００ｍｍに準拠する取付孔を含んでも良い。図１および図２に図示する本実施例の場合には、ディスプレイ装置２の背面側の４つのネジ穴２１ａと、これらに対応する取付孔群４２の中の４つの取付孔４２ａを利用する。もちろん、他の規格・寸法に取付構造に対応する場合には、取付孔群４２の中から対応する他の取付孔を利用すればよい。４つの固定ネジ７が、それぞれブラケット４の取付孔４２ａを貫通して、ディスプレイ装置２のネジ穴２１ａと螺合すると、ブラケット４はディスプレイ装置２の背面側に取り付けられる。なお、取付孔群４２は、基体４０に対してパーソナルコンピューター１の筐体１０が密着する面から段差を設けた位置に設けられているので、固定ネジ７のネジ頭は、パーソナルコンピューター１の筐体１０に干渉しない。
【００３３】
また、カバーブラケット５は、厚み約１ｍｍの鉄板をプレスおよび曲げ切り起こし加工して形成する基体５０を有し、本実施例の場合には、全体を略「Ｌ」の字状の形に加工されている。カバーブラケット５は、その基体５０がブラケット４の基体４０の左隅であって、パーソナルコンピューター１の筐体１０が密着する面と同一の面に密着するように固定される。カバーブラケット５は、基体５０の中央部分にパーソナルコンピューター１を横方向（図１に図示する左側方向）から係止して固定する固定係止片５１を有するように切り起こし加工されている。さらに、カバーブラケット５は、基体５０の底面側部分に取り付け時に下側から固定ネジ６のネジ頭に近接して対向してネジ頭を覆う保護切り起こし片５２を有するように切り起こし加工されている。したがって、固定係止片５１と、保護切り起こし片５２とは、お互いに直交する位置関係になるように、基体５０から形成されている。また、カバーブラケット５の基体５０には、盗難防止固定ネジ８のネジ部が貫通する貫通孔５３が設けられている。
【００３４】
図３は、盗難防止固定ネジ８のネジ頭の穴部の形状を示す図である。本実施例の盗難防止固定ネジ８は、図３（ａ）に図示するように、ネジ頭に特殊な六角穴を有しており、専用の特殊な工具がない限り、ネジ頭を廻して取り付け・取り外しすることが困難なネジである。したがって、これらのパーソナルコンピューター１およびディスプレイ装置２を、ホテルの客室等の不特定なユーザーが使用し得る環境に設置する場合には、ホテル事業者（設置作業を請け負う工事者を含む）などの取付加工者は、盗難防止固定ネジ８のネジ頭に丁度嵌合して回転させることが出来る（図示しない）専用工具によって盗難防止固定ネジ８を回転させて、カバーブラケット５の取り付け・取り外しを行う。もちろん取付加工者は、取り付け・取り外しに際してこの専用工具を用意するので、盗難防止固定ネジ８を廻して、パーソナルコンピューター１およびディスプレイ装置２の取り付け、取り外しの作業を容易に行うことが出来る。
【００３５】
なお、盗難防止固定ネジ８は、例えば、図３に例示するような、他の（ｂ）三角形、（ｃ）四角形、あるいは、五角形等の多角形状の穴部、または、（ｄ）ツーホールタイプの穴部、または、（ｅ）ピン・ＴＲＸタイプの穴部、または、（ｆ）トライウィングタイプの穴部、または、（ｇ）星形の穴部、のいずれかを含むネジ頭を有するものであればよく、他のネジ頭を有するものであってもよい。
【００３６】
したがって、取付加工者が、専用工具によって盗難防止固定ネジ８を回転させて、カバーブラケット５をブラケット４に取り付けると、図２に図示するような取り付け状態になる。つまり、ディスプレイ装置２を背面側から見て、左下隅方向に位置する固定ネジ７は、カバーブラケット５の基体５０に隠れて、図２には現れない。ブラケット４の基体４０に対して取付孔群４２がパーソナルコンピューター１の筐体１０が密着する面から段差を設けた位置に設けられているので、カバーブラケット５の基体５０は、カバーブラケット５の取り付け時に、４本の内の少なくとも１本の固定ネジ７のネジ頭に近接して対向し、この固定ネジ７のネジ頭を覆うことができる。
【００３７】
また、固定ネジ６は、底面側からパーソナルコンピューター１の筐体１０のネジ穴１１に螺合して、パーソナルコンピューター１をブラケット４に対して固定する。ただし、取付加工者が、専用工具によって盗難防止固定ネジ８を回転させて、カバーブラケット５をブラケット４に取り付けると、カバーブラケット５の保護切り起こし片５２が下側から切り起こし加工されているので、この保護切り起こし片５２が固定ネジ６のネジ頭に近接して対向してネジ頭を覆うことができる。
【００３８】
その結果、カバーブラケット５の基体５０に覆われた固定ネジ７は、カバーブラケット５を専用工具によって盗難防止固定ネジ８を取り外さない限り、液晶ディスプレイ装置２からパーソナルコンピューター１を実質的に取り外せない。同時に、カバーブラケット５の保護切り起こし片５２に覆われた固定ネジ６は、カバーブラケット５を専用工具によって盗難防止固定ネジ８を取り外さない限り、液晶ディスプレイ装置２からパーソナルコンピューター１を実質的に取り外せない。このように、盗難防止固定ネジ８で固定されるカバーブラケット５が、取り付け時に固定ネジ６のネジ頭に近接して対向してネジ頭を覆う保護切り起こし片５２と、取り付け時に固定ネジ７のネジ頭に近接して対向してネジ頭を覆う基体５０と、を有しているので、不正の意図を有するユーザーが、パーソナルコンピューター１をディスプレイ装置２から取り外して持ち去ってしまうことが無いようにすることができ、盗難事件の発生を抑制することが出来る。
【００３９】
このように、この取付部材３を構成する固定ネジ６ないし７が、複数のネジの組で構成される場合には、カバーブラケット５が、その基体５０が取り付け時にその４本の内の少なくとも一つの固定ネジ７のネジ頭に近接して対向してネジ頭を覆い、カバーブラケット５の他の部分である保護切り起こし片５２が、取り付け時に他の固定ネジ６のネジ頭に近接して対向してネジ頭を覆うものであればよい。
【００４０】
カバーブラケット５は、基体５０の中央部分に前述のような固定係止片５１を有している。固定係止片５１は、ブラケット４に対してパーソナルコンピューター１を横方向（図１に図示する左側方向）から係止して固定する。したがって、不正の意図を有するユーザーが、パーソナルコンピューター１をディスプレイ装置２から取り外そうとして、仮に、下側から筐体１０とブラケット４とを連結する固定ネジ６のネジ頭を回転させて、固定ネジ６を筐体１０のネジ穴１１から外してしまい、ブラケット４とパーソナルコンピューター１との連結を解除してしまっても、盗難防止固定ネジ８でブラケット４と連結するカバーブラケット５の固定係止片５１が有るので、パーソナルコンピューター１を取り外すことが難しくなる。このように、カバーブラケット５が、固定するネジのネジ頭を覆うだけでなく、筐体１０を固定する固定係止片を有していれば、盗難事件の発生の割合をより低く抑制することが出来る。
【実施例２】
【００４１】
図４は、本発明の他の好ましい実施形態による電子機器筐体の取付構造を説明する展開斜視図である。具体的には、図４は、別の複数の部材からなる取付部材３ａによりディスプレイ装置２に取り付けられたパーソナルコンピューター１を、背面側から一部拡大して図示した背面図である。図４に図示する取付部材３ａは、実質的に、先の実施例における取付部材３を構成するブラケット４の構成が、複数のブラケット４０ａ、４０ｂ、４０ｃとからなるブラケット４ａに変更されている点で相違するのみである。したがって、先の実施例と共通するところには共通する番号を付して、説明を省略する。
【００４２】
本実施例の複数の取付部材３ａは、金属を加工して成形されるブラケット４０ａと、４０ｂと、４０ｃとからなるブラケット４ａと、カバーブラケット５と、１本の固定ネジ６と、４本の固定ネジ７と、１本の盗難防止固定ネジ８と、さらに、４本の固定ネジ９と、を含む。
【００４３】
ブラケット４０ａと、４０ｂと、４０ｃとは、それぞれ厚み約１ｍｍの鉄板をプレスおよび曲げ切り起こし加工して形成するブラケットであり、先の実施例における全体を略「エ」の字状の形の基体４０を、上部分（４０ａ）と、下部分（４０ｂ）と、中央部分（４０ｃ）と、に分けて構成したものである。ブラケット４０ｃは、従来からのＶＥＳＡマウントキットにおけるブラケットを流用するものであり、その基体の中央部分にパーソナルコンピューター１を横方向（図１に図示する左側方向）から挿入して取り付けることが可能なように、パーソナルコンピューター１の筐体１０の外面を係止する複数の係止片４１を有するように切り起こし加工されている。パーソナルコンピューター１の筐体１０の底面を係止する係止片４１には、固定ネジ６のネジ部が貫通する貫通孔４３が設けられており、取り付け状態では、固定ネジ６が下側からパーソナルコンピューター１の筐体１０のネジ穴１１に螺合して、パーソナルコンピューター１をブラケット４０ｃに対して固定することが出来る。
【００４４】
また、ブラケット４０ａおよび４０ｂは、様々な規格・寸法に対応するために、ブラケット４ａを組み立てたときに基体の四隅なる部分に相当する位置に、複数の貫通孔からなる取付孔群４２を有している。ブラケット４０ａおよび４０ｂは、それぞれ中央に位置するブラケット４０ｃに、固定ネジ９により連結する。本実施例では、４つの固定ネジ９は、パーソナルコンピューター１の筐体１０をブラケット４０ｃに対して取り付けるときに、筐体１０によりネジ頭が覆われる位置にある。その結果、パーソナルコンピューター１は、このブラケット４ａを介して、ディスプレイ装置２に固定される。
【００４５】
また、ブラケット４０ａおよび４０ｂは、様々な規格・寸法に対応するために、その基体４０の四隅に複数の貫通孔からなる取付孔群４２を有している。前記のＶＥＳＡ規格、あるいは、他の規格・寸法に取付構造に対応する場合には、取付孔群４２の中から対応する他の取付孔を利用するだけでなく、ブラケット４０ａおよび４０ｂと、ブラケット４０ｃとの組立位置を変えて固定ネジ９で連結しても良い。このようにすれば、ブラケット４０ｃが一部のＶＥＳＡ規格にのみ対応するＶＥＳＡマウントキットであっても、これに固定ネジ９で連結するブラケット４０ａおよび４０ｂが、他の規格にも対応可能な複数のネジ穴を有していれば、様々な規格に個別に対応する取付部材を用意せずに済み、共通部品化することによって構成部品が少なくなれば、さらにコスト低減が可能になる。
【００４６】
なお、ブラケット４０ａおよび４０ｂと、ブラケット４０ｃとを連結する４つの固定ネジ９は、カバーブラケット５の取り付け時に、このカバーブラケットによりその一つのネジ頭が覆われるものであってもよい。その結果、パーソナルコンピューター１の筐体１０により、あるいは、カバーブラケット５の基体５０により覆われた固定ネジ７、ないし、９は、カバーブラケット５を専用工具によって盗難防止固定ネジ８を取り外さない限り、液晶ディスプレイ装置２からパーソナルコンピューター１を実質的に取り外せない。したがって、不正の意図を有するユーザーが、パーソナルコンピューター１をディスプレイ装置２から取り外して持ち去ってしまうことが無いようにすることができ、盗難事件の発生を抑制することが出来る。
【００４７】
なお、本発明は上記実施例に限定されない。取付部材３ないし３ａの構成・形状、または、使用する材料、部材等は、パーソナルコンピューター１およびディスプレイ装置２の組み合わせにより、適宜変更可能である。また、カバーブラケット５の形状は、上記の略Ｌ字状に限定されず、取り付け時に１つの固定ネジのネジ頭に近接して対向してそのネジ頭を覆う部分と、取り付け時に他の固定ネジのネジ頭に近接して対向してそのネジ頭を覆う部分と、を少なくとも有しており、六角形等の多角形状の穴部を有する盗難防止用のネジを用いて固定するものであれば、その形状を問わない。
【産業上の利用可能性】
【００４８】
本発明の電子機器筐体の取付構造は、映像音響機器又は電子計算機のみならず、盗難防止の要請がある機器の取付構造にも適用が可能である。
【符号の説明】
【００４９】
１            パーソナルコンピューター
２            ディスプレイ装置
３、３ａ      取付部材
４、４ａ、４ｂ、４ｃ  ブラケット
５          カバーブラケット
６、７、９    固定ネジ
８            盗難防止固定ネジ
【図１】
2011228514.tif 000003
【図２】
2011228514.tif 000004
【図３】
2011228514.tif 000005
【図４】
2011228514.tif 000006